(57)【要約】【課題】郵便物が移載バスケットから搬送バスケットへ損傷することなく確実に受け渡すことができるとともに、移載バスケットと搬送バスケットとの間に生じる郵便物の挟み込みを簡便に解消することができる郵便物仕分配送用移載装置を提供すること。【解決手段】郵便物投入ラインＩＬから郵便物仕分けラインＤＬの移載ゾーンＤＬ１に送り込まれた郵便物Ｍを仕分配送用回転盤１１０の外周縁に垂下した移載バスケット１２０内へ受け取った後、この移載バスケット１２０の移載用扉１２３を開閉してその下方を同期周回する搬送バスケット１３０に受け渡すように構成するとともに、移載バスケット１２０の底部に搬送バスケット１３０の受け入れ開口部１３４に指向して郵便物Ｍを滑降誘導させる誘導プレート１２７を付設した郵便物仕分配送用移載装置１００。【選択図】図３
2005169178.tif 000002
【特許請求の範囲】
【請求項１】
郵便物投入ラインから郵便物仕分けラインの移載ゾーンに送り込まれた郵便物を仕分配送用回転盤の外周縁に垂下した移載バスケット内へ受け取った後、前記移載バスケットの底部に設けた移載用扉を開閉して移載バスケットの下方を同期しながら周回する所定の搬送バスケットに受け渡すようにした郵便物仕分配送用移載装置であって、
前記移載バスケットの底部に、前記搬送バスケットの頂部に設けた受け入れ開口部に指向して郵便物を滑降誘導させる誘導プレートが付設されていることを特徴とする郵便物仕分配送用移載装置。
【請求項２】
前記誘導プレートが、前記移載バスケットと搬送バスケットとの間の郵便物詰まりを解除するダンパー機構を介して移載バスケットの底部に付設されていることを特徴とする請求項１記載の郵便物仕分配送用移載装置。
【発明の詳細な説明】
【技術分野】
【０００１】
本発明は、郵便物の仕分け先データ読み取り機構などを備えた郵便物投入ラインから送り込まれた郵便物を受け取った後、郵便物の仕分け先データに応じて仕分ける郵便物仕分けラインの搬送バスケットに受け渡すようにした郵便物仕分配送用移載装置に関する。
【背景技術】
【０００２】
従来の郵便物仕分装置は、郵便物を仕分けするための搬送箱の動きに同期して郵便物保持部がシフトしながら搬送箱に郵便物を投入する同期移載部を備えており、この郵便物保持部が搬送箱の移動と同期して一定区間移動しながら郵便物を搬送箱に移載するようになっている。
【特許文献１】特公平２−５４７３号公報（第１頁、第４図）
【発明の開示】
【発明が解決しようとする課題】
【０００３】
しかしながら、従来のような郵便物仕分装置は、移動中の搬送箱に郵便物保持部から郵便物をタイミングよく移載する必要があるが、搬送箱の受取口が郵便物保持部に真っすぐに対向するのは一瞬であり、その後は両者の対向状態が徐々に「く」の字状に屈曲した配置状態となって乖離していくため、両者間の移載所要時間が短く、また、移載タイミングが少しでもズレた場合には移載不良を生じる虞れが多分にあった。
【０００４】
そこで、本出願人は、郵便物投入ラインから送り込まれた郵便物の移載所要時間を最大限に延長して郵便物仕分けラインの搬送バスケットにタイミング良く確実に移載できるようにするため、図７乃至図１０に示すように、郵便物投入ラインＩＬから郵便物仕分けラインＤＬの移載ゾーンＤＬ１に送り込まれた郵便物Ｍを仕分配送用回転盤２１０の外周縁に垂下した移載バスケット２２０内へ受け取った後、この移載バスケット２２０の底部に開閉自在に設けた移載用扉２２３を開閉して移載バスケット２２０の下方を同期しながら周回する所定の搬送バスケット２３０に受け渡すようにした郵便物仕分配送用移載装置２００を開発した。
【０００５】
しかしながら、図７乃至図１０に示すような本発明の関連技術である郵便物仕分配送用移載装置２００は、図９に示すように移載バスケット２２０の下方に離間配置されている搬送バスケット２３０へ郵便物Ｍを自然落下状態で受け渡すようになっているため、郵便物Ｍの形状寸法、形態保持状態、移載用扉２２３の開閉タイミングなどの要因によって、たとえば、半開き状態の移載用扉２２３に当接して真っすぐに落下せず後方に飛び出すなど、移載バスケット２２０から郵便物Ｍを搬送バスケット２３０への移載ミスを生じる虞れがあるという問題があった。
【０００６】
また、例えば、図１０に示すように、前記搬送バスケット２３０が移載バスケット２２０の下方と同期しながら約半周強程度のＰ１からＰ２を経てＰ７まで周回した後、郵便物仕分けラインＤＬの移載ゾーンＤＬ１から仕分けゾーンＤＬ２に向かって搬送される。移載バスケット２２０と搬送バスケット２３０が同期周回している間に移載バスケット２２０から搬送バスケット２３０へ郵便物Ｍを受け渡すようになっているため、郵便物Ｍの受け渡しが郵便物Ｍの形状寸法、形態保持状態、移載用扉の開閉タイミングなどの要因によって完了しない場合、郵便物仕分けラインＤＬの移載ゾーンＤＬ１から仕分けゾーンＤＬ２に向かう直前近傍位置である図１０中のＰ７乃至Ｐ８において郵便物Ｍが移載バスケット２２０と搬送バスケット２３０との間に挟み込まれて詰まり、やがては、郵便物Ｍが損傷するという、所謂、ギロチン現象が発生し、このようなギロチン現象を解消回復するために仕分配送の中断を余儀なく強いられるばかりでなく、図示しない駆動源の異常な動力負荷による保守メンテンナンスが厄介になるという問題があった。
【０００７】
そこで、本発明が解決しようとする課題、すなわち、本発明の目的は、上述したような従来技術の問題点を解消するものであって、郵便物が移載バスケットから搬送バスケットへ損傷することなく確実に受け渡すことができるとともに、移載バスケットと搬送バスケットとの間に生じる郵便物の挟み込みを簡便に解消することができる郵便物仕分配送用移載装置を提供することである。
【課題を解決するための手段】
【０００８】
本請求項１に係る発明は、郵便物投入ラインから郵便物仕分けラインの移載ゾーンに送り込まれた郵便物を仕分配送用回転盤の外周縁に垂下した移載バスケット内へ受け取った後、前記移載バスケットの底部に設けた移載用扉を開閉して移載バスケットの下方を同期しながら周回する所定の搬送バスケットに受け渡すようにした郵便物仕分配送用移載装置であって、前記移載バスケットの底部に、前記搬送バスケットの頂部に設けた受け入れ開口部に指向して郵便物を滑降誘導させる誘導プレートが付設されていることにより、上述した課題を解決している。
【０００９】
そして、本請求項２に係る発明は、請求項１に係る発明の構成に加えて、前記誘導プレートが移載バスケットと搬送バスケットとの間の郵便物詰まりを解除するダンパー機構を介して移載バスケットの底部に付設されていることにより、上述した課題をさらに解決している。
【００１０】
なお、本発明の郵便物仕分配送用移載装置で言うところの「郵便物」とは、雑誌などの偏平物を封入または封緘したシート状郵便物を意味するものである。そして、「郵便物投入ライン」とは、郵便物の仕分け先データ読み取り機構などを備えており、郵便物を仕分け配送する後続ラインに送り込むためのラインを意味するものである。また、「郵便物仕分けライン」とは、前述した郵便物投入ラインの仕分け先データ読み取り機構などで読み取った仕分け先データに基づいて、搬送バスケット中の郵便物を所定の仕分け先に応じた郵便物回収ボックスなどに搬送するためのラインを意味するものである。
【発明の効果】
【００１１】
本発明の郵便物仕分配送用移載装置は、特有の装置構成を備えているため、以下のような格別の効果を奏することができる。
すなわち、本請求項１に係る発明の郵便物仕分配送用移載装置は、郵便物投入ラインから郵便物仕分けラインの移載ゾーンに送り込まれた郵便物を仕分配送用回転盤の外周縁に垂下した移載バスケット内へ受け取った後、前記移載バスケットの底部に設けた移載用扉を開閉して移載バスケットの下方を同期しながら周回する所定の搬送バスケットに受け渡すように構成したことにより、搬送バスケットが移載バスケットの下方を同期しながら周回しているため、郵便物の移載所要時間を充分に確保でき、移載するタイミングに多少のズレが生じても郵便物を移載バスケットから搬送バスケットへ確実に受け渡すことができる。
【００１２】
そして、前記移載バスケットの底部に、搬送バスケットの頂部に設けた受け入れ開口部に指向して郵便物を滑降誘導させる誘導プレートが付設されていることにより、この誘導プレートが移載バスケットの底部から落下される郵便物を搬送バスケットの受け入れ開口部に向けて円滑に誘導案内するため、郵便物と周辺他部材との不用意な接触を回避して郵便物を破損させることなく受け渡すことができるばかりでなく、郵便物の形状寸法、形態保持状態、移載用扉の開閉タイミングなどの要因によって移載タイミングにズレを生じても、誘導プレートが移載タイミングのズレを吸収して搬送バスケットへの移載ミスを生じることなく確実に受け渡すことができる。
【００１３】
また、本請求項２に係る発明の郵便物仕分配送用移載装置は、本請求項１に係る発明が奏する効果に加えて、誘導プレートが移載バスケットと搬送バスケットとの間の郵便物詰まりを解除するダンパー機構を介して移載バスケットの底部に付設されていることにより、移載バスケットと搬送バスケットとの間に郵便物詰まりを生じても誘導プレートがダンパー機構によって誘導案内位置から郵便物詰まりを回復するための動作スペースを確保するに足りる退避位置へ弾力的に退避するため、移載バスケットと搬送バスケットとの間に生じる郵便物の挟み込み時に郵便物に過度の損傷を与えることなく保護するとともに、この挟み込んだ郵便物を簡便に取り出すことができ、また、郵便物の挟み込み解消後に誘導プレートが退避位置から誘導案内位置に自動的に復帰するため、保守メンテンナンス負担を著しく軽減することができる。
【発明を実施するための最良の形態】
【００１４】
本発明の郵便物仕分配送用移載装置は、郵便物投入ラインから郵便物仕分けラインの移載ゾーンに送り込まれた郵便物を仕分配送用回転盤の外周縁に垂下した移載バスケット内へ受け取った後、この移載バスケットの底部に設けた移載用扉を開閉して移載バスケットの下方を同期しながら周回する所定の搬送バスケットに受け渡すようにした郵便物仕分配送用移載装置であって、前記移載バスケットの底部に前記搬送バスケットの頂部に設けた受け入れ開口部に指向して郵便物を滑降誘導させる誘導プレートを付設したことにより、郵便物が移載バスケットから搬送バスケットへ損傷することなく確実に受け渡すことができるとともに、移載バスケットと搬送バスケットとの間に生じる郵便物の挟み込みを簡便に解消することができるようになっていれば、下記に詳説するような実施例以外のものであっても何ら差し支えない。
【実施例】
【００１５】
図面に基づいて本発明の一実施例である郵便物仕分配送用移載装置（以下、単に、「郵便物移載装置」）を説明する。
まず、図１は、本発明の一実施例である郵便物移載装置の全体図であり、図２は、本実施例で用いた移載バスケットの斜視図であり、図３は、図２のＹ−Ｙ断面図とその一部拡大図であり、図４は、郵便物移載装置における郵便物移載動作の説明図であり、図５は、郵便物詰まり時における誘導プレートの退避動作の説明図であり、図６は、郵便物詰まり時における誘導プレートの復帰動作の説明図である。
なお、本実施例である郵便物移載装置の設置態様については、図７乃至図８と同様であるため、改めて図示せず、図７乃至図８に示す２００番台の部材番号のみ１００番台に読み替えて割愛する。
【００１６】
本実施例の郵便物移載装置１００は、図７乃至図８に示すように、郵便物Ｍの仕分け先データ読み取り器などを備えた郵便物投入ラインＩＬから郵便物仕分けラインＤＬの移載ゾーンＤＬ１に送り込まれた郵便物Ｍを仕分配送用回転盤１１０の外周縁に付設された移載バスケット１２０を介して受け取った後、この移載バスケット１２０の下方を同期しながら周回する所定の搬送バスケット１３０に受け渡すようになっている。
なお、図７乃至図８における郵便物移載装置１００は、郵便物Ｍの種別、仕分け作業効率などを考慮して郵便物仕分けラインＤＬの移載ゾーンＤＬ１側に２基設置されている。また、図７乃至図８における符号Ｃは、搬送バスケット１３０から郵便物Ｍを仕分け回収するための郵便物回収ボックスであり、矢印は、郵便物仕分けラインＤＬを周回しながら移載バスケット１２０の真下を同期して移動する搬送バスケット１３０の移動方向を示している。
【００１７】
そこで、前記仕分配送用回転盤１１０は、図１に示すように、機枠側固定フレーム１４０に軸支されてその下方を周回する搬送バスケット用鎖車１５０と連結されている。そして、移載バスケット１２０と搬送バスケット１３０とを機械的に同期させることにより、移載バスケット１２０から搬送バスケット１３０へ郵便物Ｍを受け渡す際に移載所要時間が充分に確保されるようになっている。また、前記仕分配送用回転盤１１０には、移載バスケット１２０を滑動自在に誘導することができる円弧状案内レール１１１と移載バスケット１２０を揺動自在に吊り下げるための抜き穴１１２が設けられている。
なお、図１における符号１５１は、搬送バスケット用鎖車１５０とともに回動する回転シャフトであり、符号１５２は、回転シャフト１５１の回動を補助するための回転モータである。
【００１８】
また、前記仕分配送用回転盤１１０の外周縁に一定間隔で複数付設された箱状の移載バスケット１２０は、図２乃至図３に示すように、移載バスケット本体１２１の外周側に郵便物投入ラインＩＬから送り込まれた郵便物Ｍを受け取るための受入口１２２を備えているとともに、郵便物仕分けラインＤＬ側の搬送バスケット１３０に受け渡すための開閉自在な移載用扉１２３を底部に備えている。
なお、図中の符号１２４は、移載バスケット本体１２１を仕分配送用回転盤１１０側に取り付けるための取付ブラケットであり、符号１２５は、移載用扉１２３を開く方向に動作させるためのロックピン、解除レバーなどから構成される開扉機構であり、符号１２６は、移載用扉１２３を閉じる方向に動作させるために前記機枠側固定フレーム１４０の移載ゾーンＤＬ１の終端近傍に敷設した閉扉動作用レール１４１上を転動する閉扉動作用ローラなどから構成される閉扉機構である。
【００１９】
そして、図１に示すような機枠側固定フレーム１４０には、郵便物投入ラインＩＬから郵便物Ｍを移載バスケット１２０へ受け渡すための移載タイミングと移載所要時間を任意に設定することができる移載タイミング軌道１４２が形成されており、相対的に回動する仕分配送用回転盤１１０の移載タイミングレバー１６０などと協動して、郵便物受取時に移載バスケット１２０の受入口１２２を郵便物投入ラインＩＬに指向させた状態に持続させるとともに郵便物受渡時に移載バスケット１２０とその下方に配置した搬送バスケット１３０とを同期して並進させるため、郵便物Ｍの移載所要時間を充分に確保できるようになっている。
【００２０】
また、郵便物仕分けラインＤＬを周回する搬送バスケット１３０は、その内周側に敷設された内周側レール１４３を走行する内周側キャリヤ１３１と外周側に敷設された外周側レール１４４を走行する外周側キャリヤ１３２を備えるとともに、前記移載バスケット１２０から受け渡された郵便物Ｍを収容保持するバスケット本体１３３を備えており、このバスケット本体１３３が内周側キャリヤ１３１と外周側キャリヤ１３２によって両持ち状態で吊り下げられた状態で移動するようになっている。
【００２１】
前記搬送バスケット１３０は、内周側キャリヤ１３１に設けられたリアクションプレート１７０ａを介して、郵便物仕分けラインＤＬに沿って多数配置したリニアモータ１７０ｂにより駆動されるようになっているとともに、移載バスケット１２０の移載用扉１２３から落下する郵便物Ｍを受け入れるための受け入れ開口部１３４がバスケット本体１３３に設けられている。
【００２２】
そこで、本実施例の郵便物移載装置１００が最も特徴とする移載バスケット１２０の底部に付設した誘導プレート１２７の具体的形態を図３に基づいて詳しく説明する。
すなわち、前記誘導プレート１２７は、移載バスケット１２０と搬送バスケット１３０との間の郵便物詰まりを解除するダンパー機構１２８を介して移載バスケット本体１２１の底部に前述した移載用扉１２３と対向して付設されており、移載バスケット１２０の底部から落下される郵便物Ｍを搬送バスケット１３０の受け入れ開口部１３４に向けて円滑に誘導案内するために前方に向けて湾曲したような誘導面１２７ａを備えている。
【００２３】
また、前記ダンパー機構１２８は、前記誘導プレート１２７の基端部１２７ｂに一端が固定されるとともに前記移載バスケット本体１２１に他端が固定されている蝶番などからなるヒンジプレート１２８ａと、このヒンジプレート１２８ａを開くように弾力的に付勢されている捩れバネなどからなる弾性体１２８ｂとで構成され、移載バスケット１２０と搬送バスケット１３０との間に郵便物詰まりを生じても誘導プレート１２７の誘導面１２７ａが誘導案内位置Ｘ１から郵便物詰まりを回復するための動作スペースを確保するに足りる退避位置Ｘ２へ弾力的に退避するとともに、郵便物Ｍの挟み込み解消後に誘導プレート１２７の誘導面１２７ａが退避位置Ｘ２から誘導案内位置Ｘ１に自動的に復帰するようになっている。
【００２４】
このようにして得られた本実施例の郵便物移載装置１００における郵便物Ｍの移載動作を説明する。
まず、図１０に示すＰ１の回動位置で、郵便物Ｍは、移載バスケット本体１２１内に収容され、その下方に配置された搬送バスケット１３０と同期しながら周回し始める。このとき、移載バスケット１２０の底部に設けた移載用扉１２３は閉じた状態になっている（図４の（Ａ）を参照）。
そして、図１０に示すＰ３乃至Ｐ４の回動位置で、仕分け先データなどに基づいて移載バスケット１２０の移載用扉１２３が開くと、移載バスケット本体１２１内に収容されている郵便物Ｍが移載バスケット本体１２１の本体壁に沿って滑降し始める（図４の（Ｂ）を参照）。このとき、郵便物Ｍの最下端部は、誘導プレート１２７の誘導面１２７ａに沿って滑降していくため、搬送バスケット１３０の受け入れ開口部１３４に向けて円滑に誘導案内され、搬送バスケット１３０のバスケット本体１３３内に落下していく（図４の（Ｃ）を参照）。
その後、図１０に示すＰ７の回動位置に至るまでに、郵便物Ｍが搬送バスケット１３０に移載すると、移載バスケット１２０の移載用扉１２３は、閉扉機構１２６の閉扉動作用ローラが閉扉動作用レール１４１上を転動しながら上方へ移動することによって閉じる方向に回動して閉扉する（図４の（Ｄ）を参照）。
【００２５】
このようにして郵便物Ｍを移載バスケット１２０からその下方に配置した搬送バスケット１３０に移載するための一連の移載動作が完結し、この移載用扉１２３を閉扉した移載バスケット１２０は、次の郵便物Ｍを郵便物投入ラインＩＬから受け取り、上述したような一連の移載動作を繰り返す。
【００２６】
つぎに、図１０に示すＰ８の回動位置近傍において郵便物詰まりを生じた場合の誘導プレート１２７とダンパー機構１２８の退避動作と復帰動作を図５乃至図６に基づいて説明する。
まず、図５に示すように、郵便物Ｍの形状寸法、形態保持状態、移載用扉１２３の開閉タイミングなどの要因により移載タイミングのズレを惹起し、このような移載タイミングのズレによって移載バスケット１２０と搬送バスケット１３０との間に郵便物詰まりを生じた場合、郵便物詰まりにより派生する押圧力によって誘導プレート１２７の誘導面１２７ａを後方に向けて弾力的に回動する退避動作を奏するため、誘導プレート１２７の誘導面１２７ａが誘導案内位置Ｘ１から郵便物詰まりを回復するための動作スペースを確保するに足りる退避位置Ｘ２へ退避し、拘束された郵便物詰まりが解消できるようになっている。
【００２７】
そして、図６に示すように、郵便物Ｍの挟み込みが解消されると、ダンパー機構１２８を構成するヒンジプレート１２８ａを開くように弾力的に付勢されている弾性体１２８ｂの捩れバネによって、誘導プレート１２７の誘導面１２７ａが退避位置Ｘ２から誘導案内位置Ｘ１に自動的に復帰するような復帰動作を奏して、次回の受け渡しに対応できるようになっている。
【００２８】
なお、本実施例の郵便物移載装置１００は、本発明の関連技術である郵便物仕分配送用移載装置２００と同様に、図１０のＰ８で示す回動位置において投光器１８１と受光器１８２から構成される移載不良検知センサー１８０を郵便物仕分けラインＤＬの移載ゾーンＤＬ１に設けたことにより、郵便物Ｍの挟み込みが生じた場合に郵便物Ｍの挟み込みを早期発見することによって、郵便物移載装置１００を速やかに駆動停止して保守メンテナンスを実施するとともに図示しない駆動源の異常な過負荷を防止するようになっている。
【００２９】
上述したように、本実施例の郵便物移載装置１００は、移載バスケット１２０の誘導プレート１２７が郵便物Ｍを搬送バスケット１３０の受け入れ開口部１３４に向けて円滑に誘導案内して郵便物Ｍを破損させることなく受け渡すことができるばかりでなく、郵便物Ｍの形状寸法、形態保持状態、移載用扉１２３の開閉タイミングなどの要因によって移載タイミングにズレを生じても、誘導プレート１２７が移載タイミングのズレを吸収して搬送バスケット１３０への移載ミスを生じることなく確実に受け渡すことができる。
【００３０】
しかも、移載バスケット１２０と搬送バスケット１３０との間に郵便物詰まりを生じても誘導プレート１２７がダンパー機構１２８によって誘導案内位置Ｘ１から郵便物詰まりを回復するための動作スペースを確保するに足りる退避位置Ｘ２へ弾力的に退避するため、移載バスケット１２０と搬送バスケット１３０との間に生じる郵便物Ｍの挟み込み時に郵便物Ｍに過度の損傷を与えることなく保護するとともに、この挟み込んだ郵便物Ｍを簡便に取り出すことができ、また、郵便物Ｍの挟み込み解消後に誘導プレート１２７が退避位置Ｘ２から誘導案内位置Ｘ１に自動的に復帰するため、保守メンテンナンス負担を著しく軽減することができるなど、その効果は甚大である。
【図面の簡単な説明】
【００３１】
【図１】本発明の一実施例である郵便物仕分配送用移載装置の全体図。
【図２】本実施例で用いた移載バスケットの斜視図。
【図３】図２のＹ−Ｙ断面図とその一部拡大図。
【図４】郵便物移載動作の説明図。
【図５】郵便物詰まり時における誘導プレートの退避動作の説明図。
【図６】郵便物詰まり時における誘導プレートの復帰動作の説明図。
【図７】本発明の関連技術である郵便物仕分配送用移載装置の設置態様を示した正面図。
【図８】図７に示す郵便物仕分配送用移載装置の設置態様を示した平面図。
【図９】図７に示す郵便物仕分配送用移載装置の全体図。
【図１０】図８に示す郵便物仕分けラインの移載ゾーン拡大図。
【符号の説明】
【００３２】
１００  ・・・  郵便物仕分配送用移載装置
１１０  ・・・  仕分配送用回転盤
１１１  ・・・  円弧状案内レール
１１２  ・・・  抜き穴
１２０  ・・・  移載バスケット
１２１  ・・・  移載バスケット本体
１２２  ・・・  受入口
１２３  ・・・  移載用扉
１２４  ・・・  取付ブラケット
１２５  ・・・  開扉機構
１２６  ・・・  閉扉機構
１２７  ・・・  誘導プレート
１２７ａ・・・  誘導プレートの誘導面
１２７ｂ・・・  誘導プレートの基端部
１２８  ・・・  ダンパー機構
１２８ａ・・・  ダンパー機構のヒンジプレート
１２８ｂ・・・  ダンパー機構の弾性体
１３０  ・・・  搬送バスケット
１３１  ・・・  内周側キャリヤ
１３２  ・・・  外周側キャリヤ
１３３  ・・・  バスケット本体
１３４  ・・・  受け入れ開口部
１４０  ・・・  機枠側固定フレーム
１４１  ・・・  閉扉動作用レール
１４２  ・・・  移載タイミング軌道
１４３  ・・・  内周側レール
１４４  ・・・  外周側レール
１５０  ・・・  搬送バスケット用鎖車
１５１  ・・・  回転シャフト
１５２  ・・・  回転モータ
１６０  ・・・  移載タイミングレバー
１７０ａ・・・  リアクションプレート
１７０ｂ・・・  リニアモータ
１８０  ・・・  移載不良検知センサー
１８１  ・・・  投光器
１８２  ・・・  受光器
ＩＬ    ・・・  郵便物投入ライン
ＤＬ    ・・・  郵便物仕分けライン
ＤＬ１  ・・・  郵便物仕分けラインの移載ゾーン
ＤＬ２  ・・・  郵便物仕分けラインの仕分けゾーン
Ｍ      ・・・  郵便物
Ｃ      ・・・  郵便物回収ボックス
Ｘ１    ・・・  誘導案内位置
Ｘ２    ・・・  退避位置
Ｐ１，Ｐ２〜Ｐ１０  ・・・  移載バスケットの回動位置
【図１】
2005169178.tif 000003
【図２】
2005169178.tif 000004
【図３】
2005169178.tif 000005
【図４】
2005169178.tif 000006
【図５】
2005169178.tif 000007
【図６】
2005169178.tif 000008
【図７】
2005169178.tif 000009
【図８】
2005169178.tif 000010
【図９】
2005169178.tif 000011
【図１０】
2005169178.tif 000012